(57)【要約】【課題】安価に製作可能な簡単な構成で、照明器具自身からの光による誤作動を確実に防止しつつ既設の屋外用照明装置に適用でき、しかも意匠的な設計自由度を拡大できる照明器具を提供する。【解決手段】発光部としてのＬＥＤ素子１６と、ＬＥＤ素子１６の明るさ及び外部の明るさを検出するように配置した明かりセンサ１８と、明かりセンサ１８からの明るさ信号に基づいて、明状態と暗状態とを判定する判定手段２２と、判定手段２２により暗状態と判定されたときに、ＬＥＤ素子１６を一定時間だけ点灯させ、該一定時間を経過するとＬＥＤ素子１６を消灯させるタイマ手段２３とを備えた。【選択図】図３
2014022258.tif 000002
【特許請求の範囲】
【請求項１】
発光部と、
前記発光部の明るさ及び外部の明るさを検出するように配置した明かりセンサと、
前記明かりセンサからの明るさ信号に基づいて、明状態と暗状態とを判定する判定手段と、
前記判定手段により暗状態と判定されたときに、前記発光部を一定時間だけ点灯させ、該一定時間を経過すると発光部を消灯させるタイマ手段と、
を備えたことを特徴とする照明器具。
【請求項２】
前記照明器具が、前記発光部としてＬＥＤ素子を備えたＬＥＤ電球又はＬＥＤ蛍光管からなり、前記明かりセンサを発光部とともにＬＥＤ電球又はＬＥＤ蛍光管の外装カバーの内側に配置した請求項１記載の照明器具。
【請求項３】
前記タイマ手段による発光部の点灯時間を１０〜６０分に設定した請求項１又は２項記載の照明器具。
【発明の詳細な説明】
【技術分野】
【０００１】
本発明は、発光ダイオード（ＬＥＤ：Ｌｉｇｈｔ  Ｅｍｉｔｔｉｎｇ  Ｄｉｏｄｅ）を用いたＬＥＤ電球やＬＥＤ蛍光灯として好適に利用可能な照明器具に関する。
【背景技術】
【０００２】
近年、省エネルギーの観点から、発熱電球や蛍光灯を用いた照明装置に代えて、発光ダイオードを用いたＬＥＤ電球やＬＥＤ蛍光灯などの照明器具を用いた照明装置が、広く採用されつつある。
【０００３】
また、ＬＥＤ電球として、例えば明かりセンサや人感センサを一体的に組み込んだものも提案されている（例えば、特許文献１参照。）。
【０００４】
この特許文献１記載のＬＥＤ電球では、外装カバーをドーナツ型に構成してその中央部に円筒状の遮蔽部を形成し、遮蔽部の内側に明かりセンサを配置して、ＬＥＤ素子からの光の直進性が高いことを利用して、ＬＥＤ素子からの光で明かりセンサが誤作動しないように構成している。
【０００５】
一方、マンションなどの集合住宅の屋外用の照明装置としての街路灯、玄関灯、門灯等では、昼間には消灯し、夜間には点灯するように明かりセンサを設けたものが広く実施されているが、一般家庭の玄関灯や門灯等では、人手によるスイッチ操作で、点灯状態と消灯状態とに切り替えるものが現在でも広く採用されている。
【先行技術文献】
【特許文献】
【０００６】
【特許文献１】特開２０１２−１５０３５号公報
【発明の概要】
【発明が解決しようとする課題】
【０００７】
ところで、一般家庭の玄関灯や門灯等のように、人手によるスイッチ操作で、点灯状態と消灯状態とに切り替える場合には、点灯忘れや消灯忘れが発生するという問題がある。また、家を留守にする場合には、玄関灯や門灯が点灯しないので、防犯上にも問題があった。
【０００８】
一方、特許文献１記載のＬＥＤ電球を一般家庭の玄関灯や門灯等に組み込んで、自動点灯させることも考えられるが、ＬＥＤ電球からの光が玄関灯や門灯のランプシェードの内面で反射して、ＬＥＤ電球が誤作動するという問題があり、既存の屋外用照明装置に適用することが困難であった。
【０００９】
しかも、特許文献１記載のＬＥＤ電球では、外装カバーとしてドーナツ型の特殊な形状のものを採用する必要があるので、ＬＥＤ電球の意匠的な設計自由度が大幅に制約されるという問題がある。
【００１０】
本発明の目的は、安価に製作可能な簡単な構成で、誤作動を確実に防止しつつ既設の屋外用照明装置に適用でき、しかも意匠的な設計自由度を拡大できる照明器具を提供することである。
【課題を解決するための手段】
【００１１】
本出願人は、ＬＥＤ電球に一体的に明かりセンサを組み込みつつ、ＬＥＤ素子からの光により明かりセンサが誤作動しないＬＥＤ電球について鋭意検討した結果、ＬＥＤ素子からの光を受けないように明かりセンサを配置させるという従来の発想とは異なり、明かりセンサがＬＥＤ素子からの光を受けることを前提にした場合でも、タイマ手段を設けるという簡単な構成で、ＬＥＤ電球の点灯及び消灯を誤作動なく制御できるとの発想を得て、本発明を完成するに至った。
【００１２】
本発明に係る照明器具は、発光部と、前記発光部の明るさ及び外部の明るさを検出するように配置した明かりセンサと、前記明かりセンサからの明るさ信号に基づいて、明状態と暗状態とを判定する判定手段と、前記判定手段により暗状態と判定されたときに、前記発光部を一定時間だけ点灯させ、該一定時間を経過すると発光部を消灯させるタイマ手段とを備えたものである。
【００１３】
この照明器具では、明かりセンサが発光部の明るさ及び外部の明るさを検出するように配置されているので、発光部が点灯しているとき、または太陽光により外部が明るいときに、判定手段は明状態と判定し、発光部が消灯し且つ外部が暗いときのみ、判定手段が暗状態と判定することになる。また、発光部は、判定手段によって直接的に点灯状態と消灯状態とに制御されることはなく、タイマ手段によってのみ点灯状態と消灯状態とに制御される。つまり、発光部が点灯したり外部が明るくなったりして、判定手段が明状態と判定しても、該判定によって直接的に発光部を消灯させることはなく、また発光部が消灯し且つ外部が暗くなって、判定手段が暗状態と判定しても、該判定によって直接的に発光部を点灯させることはないが、判定手段が暗状態と判定すると、タイマ手段により一定時間だけ発光部を点灯させることになり、また該一定時間を経過すると発光部を消灯させることになる。
【００１４】
具体的には、日中は、外部が明るいので、タイマ手段による計時が完了して、タイマ手段により発光部が消灯された後は、該消灯状態が維持されることになる。しかし、日没により外光が弱くなると、判定手段が暗状態と判定し、タイマ手段により一定時間だけ発光部が点灯することになる。このとき明かりセンサからの出力は、発光部からの光を受けて明状態と判定されるが、この判定により発光部が消灯されることはなく、この判定は無視されて、発光部は点灯状態に維持されることになる。こうして、一定時間だけ発光部を点灯し、一定時間を経過して発光部を消灯するが、このとき外光が弱い場合、つまり夜間で外光が弱い場合には、判定手段が暗状態と判定し、タイマ手段により再度一定時間だけ発光部が点灯する。つまり、夜明けにより外部が明るくなるまで、一定時間だけ発光部が点灯し、一瞬だけ発光部が消灯するが、その後再度一定時間だけ発光部が点灯するという動作を繰り返して、略連続的に発光部が点灯することになる。一方、一定時間を経過して発光部が消灯されたときに、夜明けにより外部が明るくなっていると、明かりセンサが外部の光を受けて、判定手段が明状態と判定されるので、再度タイマ手段により発光部が点灯されることはなく、日中は発光部が消灯状態に維持されることになる。
【００１５】
このように、この照明器具では、発光部からの光による誤作動を確実に防止しつつ、自動的に且つ確実に、夜になって外光が弱くなると点灯し、朝になって外光が強くなると消灯可能な照明器具を実現できる。また、発光部からの光としては、発光部からの直接的な光だけでなく、発光部からの光の反射光を受けた場合でも誤作動を確実に防止できる。このため、この照明器具を明かりセンサを備えていない既設の屋外用照明装置に適用した場合には、照明装置のランプシェードの内面で発光部からの光が反射して、この反射光を明かりセンサが受光することになるが、この反射光によって照明器具が誤作動することを確実に防止できる。したがって、明かりセンサを備えていない既設の屋外用照明装置であっても、屋外用照明装置全体を買い替えたりすることなく、安価な照明器具を交換するだけで、明かりセンサを備えた屋外用照明装置と同様に、夜になって外光が弱くなると点灯し、朝になって外光が強くなると消灯可能な照明装置を実現できる。また、人手によるスイッチ操作が不要となり、照明装置の点灯忘れや消灯忘れも確実に防止できる。更に、タイマ手段と判定手段と明かりセンサを設けるという簡単な構成なので、安価に製作可能で、しかも不良品の発生率も大幅に少なくできる。更に、発光部からの光を受けるように、明かりセンサを配置できるので、ＬＥＤ電球やＬＥＤ蛍光管の外装カバーの内側に発光部とともに明かりセンサを配置させることが可能となり、外装カバーの設計自由度を大幅に拡大でき、照明器具の意匠性を向上できる。
【００１６】
ここで、前記照明器具が、前記発光部としてＬＥＤ素子を備えたＬＥＤ電球又はＬＥＤ蛍光管からなり、前記明かりセンサを発光部とともにＬＥＤ電球又はＬＥＤ蛍光管の外装カバーの内側に配置することが好ましい実施の形態である。このようにＬＥＤ電球又はＬＥＤ蛍光管の外装カバーの内側に明かりセンサを配置させるという構成は、発光部からの光が外装カバーの内面で反射し、該反射光により明かりセンサが誤作動することから、従来困難であると考えられており、特許文献１記載のように遮光版を設けたり外装カバーをドーナツ型に形成する必要があったが、本発明では、明かりセンサが発光部からの光を受けることを前提とした制御がなされるので、遮光版を設けたり、外装カバーをドーナツ型に変更するなどの設計変更を加えることなく、明かりセンサをＬＥＤ電球又はＬＥＤ蛍光管の外装カバーの内側に組み付けることができ、ＬＥＤ電球又はＬＥＤ蛍光管の意匠性を低下させることもない。
【００１７】
前記タイマ手段による発光部の点灯時間を１０〜６０分に設定することが好ましい。発光部は、タイマ手段により一定時間を経過すると一瞬だけ消灯するので、該消灯回数をできるだけ少なくするため、発光部の点灯時間は、１０分以上に設定することが好ましい。また、本発明では、夜明けにより外部が明るくなっても、一定時間が経過するまでは、発光部は点灯状態に維持されるので、夜明け後できるだけ速やかに発光部を消灯させるため、発光部の点灯時間は６０分以下に設定することが好ましい。
【発明の効果】
【００１８】
本発明に係る照明器具によれば、照明器具では、発光部からの光による誤作動を確実に防止しつつ、自動的に且つ確実に、夜になって外光が弱くなると点灯し、朝になって外光が強くなると消灯可能な照明器具を実現できる。また、発光部からの光としては、発光部からの直接的な光だけでなく、発光部からの光の反射光を受けた場合でも誤作動を確実に防止できる。このため、この照明器具を明かりセンサを備えていない既設の屋外用照明装置に適用した場合には、照明装置のランプシェードの内面で発光部からの光が反射して、この反射光を明かりセンサが受光することになるが、この反射光によって照明器具が誤作動することを確実に防止できる。したがって、明かりセンサを備えていない既設の屋外用照明装置であっても、屋外用照明装置全体を買い替えたりすることなく、安価な照明器具を交換するだけで、明かりセンサを備えた屋外用照明装置と同様に、夜になって外光が弱くなると点灯し、朝になって外光が強くなると消灯可能な照明装置を実現できる。また、人手によるスイッチ操作が不要となり、照明装置の点灯忘れや消灯忘れも確実に防止できる。更に、タイマ手段と判定手段と明かりセンサを設けるという簡単な構成なので、安価に製作可能で、しかも不良品の発生率も大幅に少なくできる。更に、発光部からの光を受けるように、明かりセンサを配置できるので、ＬＥＤ電球やＬＥＤ蛍光管の外装カバーの内側に発光部とともに明かりセンサを配置させることが可能となり、外装カバーの設計自由度を大幅に拡大でき、照明器具の意匠性を向上できる。
【図面の簡単な説明】
【００１９】
【図１】照明器具の正面図
【図２】図１のII-II線断面図
【図３】照明器具の制御系のブロック図
【図４】照明器具の点灯制御のフローチャート
【図５】照明器具の点灯制御のタイムチャート
【発明を実施するための形態】
【００２０】
以下、本発明の実施の形態について図面を参照しながら説明する。
図１〜図３に示すように、照明器具としてのＬＥＤ電球１０は、円筒状の基体部１１と、基体部１１の小径側の端部に絶縁部材１２を介して固定した口金１３と、基体部１１の大径側の端部に固定した基板１４と、該基板１４を覆うように基体部１１の大径側の端部に取り付けた透明な半球状の外装カバー１５と、基板１４の外装カバー１５側の面に取り付けた発光部としてのＬＥＤ素子１６と、ＬＥＤ素子１６への通電をＯＮ状態とＯＦＦ状態とに切り替えるスイッチング回路１７と、ＬＥＤ素子１６の明るさ及び外部の明るさを検出するように外装カバー１５の内側に配置した明かりセンサ１８と、明かりセンサ１８からのアナログ信号をデジタル信号に変換するＡ／Ｄ変換器１９と、明かりセンサ１８からの信号を受けてＬＥＤ素子１６を点灯状態と消灯状態とに切り替える制御手段２０と、ＬＥＤ素子１６及び制御手段２０への電源回路２１とを備えている。なお、符号２２は、制御手段２０及び電源回路２１を組付けた回路基板である。
【００２１】
電源回路２１は、トランス及びＡＣ／ＤＣ変換機を備えた周知の構成のもので、この電源回路２１により制御手段２０及びＬＥＤ素子１６への通電がなされるように構成されている。
【００２２】
ＬＥＤ素子１６は、順方向に電圧を加えた際に発光する半導体素子からなる周知の構成のものである。このＬＥＤ素子１６は、スイッチング回路１７に接続され、制御手段２０によりこのスイッチング回路１７を制御して、点灯状態と消灯状態とに切り替えるように構成されている。ＬＥＤ素子１６の個数や配設位置は任意に設定することができる。
【００２３】
明かりセンサ１８は、周囲の明るさを感知して電気信号に変換するフォトトランジスタやフォトダイオードなどからなる周知の構成のもので、外装カバー１５の略中央部に配置されて、太陽光を含む外部からの光と、外装カバー１５で反射するＬＥＤ素子１６からの光を受けるように配置されている。明かりセンサ１８からの出力は、Ａ／Ｄ変換器１９を介して制御手段２０に入力される。ただし、明かりセンサ１８は、外部の光とＬＥＤ素子１６からの光の両方を受けるように配置されていれば、外装カバー１５の内側の任意の位置に設けることができる。
【００２４】
制御手段２０は、マイクロコンピュータで構成され、制御手段２０のＲＯＭ（リードオンリーメモリ）にはＬＥＤ素子１６の点灯を制御する制御プログラムが格納され、この制御プログラムにより、Ａ／Ｄ変換器１９を経て得られる明かりセンサ１８からの明るさ信号に基づいて、周囲の明るさが例えば１０Ｌｕｘ以下の場合には「暗状態」と判定し、１０Ｌｕｘを超える場合には「明状態」と判定する判定手段２２と、判定手段２２により暗状態と判定されたときに、ＬＥＤ素子１６が一定時間だけ点灯し、該一定時間を経過するとＬＥＤ素子１６が消灯するようにスイッチング回路１７を制御するタイマ手段２３とが構成されている。なお、判定手段２２による「暗状態」と「明状態」との判定の閾値は、任意に設定可能であるが、例えば５Ｌｕｘ〜２５Ｌｕｘに設定することが好適である。また、使用環境などに応じて閾値を調整できるように構成することも好ましい実施の形態である。
【００２５】
次に、ＬＥＤ電球１０の制御手段２０でなされるＬＥＤ素子１６の点灯制御について、図４に示すフローチャート及び図５に示すタイムチャートを参照しながら説明する。なお、図中Ｓｉ（ｉ＝１、２、３、・・・）は各ステップを示すものである。
【００２６】
ＬＥＤ電球１０が通電されるとこの制御が開始され、先ずタイマフラグＴＦをリセットするとともに、タイマ手段２３の残時間Ｔをリセットするなどの初期設定がなされる（Ｓ１）。次に、電源が投入されているか否かが判定され（Ｓ２）、電源がＯＦＦ操作された場合には、タイマフラグＴＦをリセットするとともに、タイマ手段２３の残時間Ｔをリセットして（Ｓ３）、処理を終了する。
【００２７】
電源がＯＮ状態の場合には、明かりセンサ１８からの出力に基づいて判定手段２２により「明状態」か「暗状態」かが判定される（Ｓ４）。このとき、明かりセンサ１８は、ＬＥＤ素子１６の明るさ及び太陽光を含む外部の明るさを検出するように配置されているので、図５に示すように、ＬＥＤ素子１６が点灯しているとき、または太陽光により外部が明るいときには、判定手段２２により「明状態」と判定されることになり、ＬＥＤ素子１６が消灯し且つ外部が暗いときのみ、判定手段２２により「暗状態」と判定されることになる。
【００２８】
そして、Ｓ４において、「暗状態」と判定されたとき、即ちＬＥＤ素子１６が消灯状態で且つ外部が暗いときには、Ｓ５へ移行して、タイマ手段２３に一定の時間、例えば３０分が残時間Ｔとしてセットされて計時が開始され、ＬＥＤ素子１６が点灯され（Ｓ６）、タイマフラグＴＦがセットされてから（Ｓ７）、Ｓ２に戻る。タイマ手段２３では、残時間Ｔがゼロになるまで、残時間Ｔを順次更新しながら計時を行うことになる。
【００２９】
こうして、ＬＥＤ素子１６が点灯すると、図５に示すように、明かりセンサ１８からの出力を受けて判定手段２２が「明状態」と判定されるので、次回からはＳ４において「明状態」と判定されてＳ８に移行する。Ｓ８ではタイマ手段２３による残時間Ｔがゼロか否かが判定され、ゼロでない場合には、Ｓ２に戻り、残時間Ｔがゼロになるまで、Ｓ２、Ｓ４、Ｓ８が繰り返されて、ＬＥＤ素子１６が点灯状態に維持される。一方、残時間Ｔがゼロになると、Ｓ８においてＹｅｓと判定されて、Ｓ９へ移行し、タイマフラグＴＦがセットされているか否かが判定され、タイマフラグＴＦはＬＥＤ素子１６の点灯開示時にＳ７においてセットされているので、Ｓ１０へ移行して、ＬＥＤ素子１６を消灯するとともに、タイマフラグＦをリセットしてから（Ｓ１１）、Ｓ２に戻る。こうして、ＬＥＤ素子１６が消灯されたときに外部が暗い場合には、Ｓ４において「暗状態」と判定されて、タイマ手段２３の残時間Ｔがセットされて、ＬＥＤ素子１６が点灯され、タイマフラグＴＦがセットされる。つまり、夜間においては、図５に示すように、タイマ手段２３により残時間Ｔがゼロになるまでは、ＬＥＤ素子１６が点灯状態に維持され、残時間Ｔがゼロになると、ＬＥＤ素子１６が一瞬だけ消灯するが、明かりセンサ１８からの出力が「暗状態」と判定されるので、ＬＥＤ素子１６が直ちに点灯し、明かりセンサ１８からの出力が「明状態」と判定される。
【００３０】
一方、夜が明けて明かりセンサ１８からの出力が「明状態」と判定されても、タイマ手段２３の残時間Ｔが残っている場合には、Ｓ８においてＮｏと判定されてＳ２に戻り、ＬＥＤ素子１６は点灯状態に維持されるが、残時間Ｔを経過するとＳ８にてＹｅｓと判定されて、タイマフラグＴＦがセットされているか否かが判定され、ＬＥＤ素子１６の点灯開始時にＳ７においてセットされているので、Ｓ１０へ移行して、ＬＥＤ素子１６を消灯するとともに、タイマフラグＴＦをリセットしてから（Ｓ１１）、Ｓ２に戻る。
【００３１】
こうして、夜が明けるとともにＬＥＤ素子１６が消灯されてタイマフラグＴＦがリセットされると、Ｓ９においてＮｏと判定されて、Ｓ２，Ｓ４，Ｓ８，Ｓ９が繰り返され、日中はＬＥＤ素子１６が消灯状態に維持される。そして、日没により周りが暗くなると、Ｓ４において、明かりセンサ１８からの出力が「暗状態」と判定されて、Ｓ５へ移行し、前述と同様に、タイマ手段２３により残時間Ｔがセットされて、残時間Ｔがゼロになるまでは、ＬＥＤ素子１６が点灯状態に維持され、残時間Ｔがゼロになると、ＬＥＤ素子１６が一瞬だけ消灯するが、明かりセンサ１８からの出力が「暗状態」と判定されるので、ＬＥＤ素子１６が直ちに点灯して、ＬＥＤ素子１６が略連続的に点灯されることになる。
【００３２】
このように、このＬＥＤ電球１０では、ＬＥＤ素子１６からの光による誤作動を確実に防止しつつ、自動的に且つ確実に、夜になって外光が弱くなると点灯し、朝になって外光が強くなると消灯可能なＬＥＤ電球１０を実現できる。また、ＬＥＤ素子１６からの光としては、ＬＥＤ素子１６からの直接的な光だけでなく、ＬＥＤ素子１６からの光の反射光を受けた場合でも誤作動を確実に防止できる。このため、このＬＥＤ電球１０を明かりセンサを備えていない既設の屋外用照明装置に適用した場合には、照明装置のランプシェードの内面でＬＥＤ素子１６からの光が反射して、この反射光を明かりセンサ１８が受光することになるが、この反射光によってＬＥＤ電球１０が誤作動することを確実に防止できる。したがって、明かりセンサを備えていない既設の屋外用照明装置であっても、屋外用照明装置全体を買い替えたりすることなく、安価なＬＥＤ電球１０を交換するだけで、明かりセンサを備えた屋外用照明装置と同様に、夜になって外光が弱くなると点灯し、朝になって外光が強くなると消灯可能な照明装置を実現できる。また、人手によるスイッチ操作が不要となり、照明装置の点灯忘れや消灯忘れも確実に防止できる。更に、タイマ手段２３と判定手段２２と明かりセンサ１８を設けるという簡単な構成なので、安価に製作可能で、しかも不良品の発生率も大幅に少なくできる。更に、ＬＥＤ素子１６からの光を受けるように、明かりセンサ１８を配置できるので、ＬＥＤ電球１０の外装カバー１５の内側にＬＥＤ素子１６とともに明かりセンサ１８を配置させることが可能となり、外装カバー１５の設計自由度を大幅に拡大でき、照明器具の意匠性を向上できる。しかも、明かりセンサ１８を備えていない既存のＬＥＤ電球に対しても、外装カバー１５の構成を変更することなく容易に組み込むことができるので、ＬＥＤ電球１０の製造設備の大部分を既存のＬＥＤ電球の製造設備と共用できる。
【００３３】
なお、残時間Ｔは、１０〜６０分に設定することが好ましい。前述のように、夜間において、ＬＥＤ素子１６は、残時間Ｔが残っている間は点灯するが、残時間Ｔがゼロになると一瞬だけ消灯するので、該消灯回数をできるだけ少なくするため、ＬＥＤ素子１６の点灯時間（残時間Ｔ）は、１０分以上に設定することが好ましい。また、このＬＥＤ電球１０では、夜明けにより外部が明るくなっても、残時間Ｔが残っている間は、ＬＥＤ素子１６は点灯状態に維持されるので、夜明け後できるだけ速やかにＬＥＤ素子１６が消灯するように、ＬＥＤ素子１６の点灯時間（残時間Ｔ）は６０分以下に設定することが好ましい。
【００３４】
なお、本実施の形態では、ＬＥＤ電球１０からなる照明器具に本発明を適用したが、ＬＥＤ素子を備えたＬＥＤ蛍光管に本発明を適用することも可能で、この場合には、明かりセンサをＬＥＤ素子とともに、ＬＥＤ蛍光管の円筒状の外装カバーの内側に配置することになる。また、発光部として蛍光管を備えた電球型蛍光管に本発明を適用することも可能であり、この場合には、明かりセンサを蛍光管とともに、電球型蛍光管の球状の外装カバーの内側に配置することになる。更に、これらの照明器具は、玄関灯、常夜灯、門灯、ガーデンライトなどの屋外用の照明装置に好適に利用できる。
【００３５】
以上、本発明の実施形態について説明したが、本発明は前述した実施形態に何ら限定されるものではなく、本発明の要旨を逸脱しない範囲においてその構成を変更し得ることは勿論である。
【符号の説明】
【００３６】
１０    ＬＥＤ電球
１１    基体部
１２    絶縁部材
１３    口金
１４    基板
１５    外装カバー
１６    ＬＥＤ素子
１７    スイッチング回路
１８    明かりセンサ
１９    Ａ／Ｄ変換器
２０    制御手段
２１    電源回路
２２    回路基板
２２    判定手段
２３    タイマ手段
【図１】
2014022258.tif 000003
【図２】
2014022258.tif 000004
【図３】
2014022258.tif 000005
【図４】
2014022258.tif 000006
【図５】
2014022258.tif 000007